(57)【要約】      （修正有）【課題】本発明は、接続する第１コネクタ及び第２コネクタの間の保持力を確保可能な小型化されたコネクタ組立体及びその製造方法を提供する。【解決手段】第１コネクタ１００は、第１本体及び複数の第１端子、側壁と前記側壁に包囲される収納溝とが設けられ、前記側壁には、第１係合部が設けられる。前記第２コネクタ２００は、第２本体及び前記第２本体の周囲に配置される複数の第２端子、外表面と前記外表面から突出する第２係合部とが設けられる。前記第１コネクタ１００が第２コネクタ２００と接続する時、前記第２コネクタ２００は、前記収納溝に挿入され、第１コネクタ１００に対して、第１位置から第２位置に向かって回転可能で、前記第２コネクタ２００が前記第２位置に位置する時、第１係合部が第２係合部と係合するとともに、前記第１接触部２２１が前記第２接触部４１と接触する。【選択図】図８
2016127012.tif 000002
【特許請求の範囲】
【請求項１】
第１コネクタ及び第２コネクタを備えるコネクタ組立体であって、
前記第１コネクタは、第１本体及び複数の第１端子を有し、前記第１本体には、側壁と、前記側壁に包囲される収納溝と、が設けられ、前記側壁には、第１係合部が設けられ、各第１端子には、前記側壁から前記収納溝に向かって露出する第１接触部が設けられ、
前記第２コネクタは、第２本体及び前記第２本体の周囲に配置される複数の第２端子を有し、前記第２本体には、外表面と、前記外表面から突出する第２係合部と、が設けられ、前記第２端子には、前記第２本体の外表面に露出される第２接触部が設けられ、
前記第１コネクタが前記第２コネクタと接続する時、前記第２コネクタは、前記収納溝に挿入され、前記第１コネクタに対して、第１位置から第２位置に向かって回転可能であり、前記第２コネクタが前記第２位置に位置する時、前記第１係合部が前記第２係合部と係合するとともに、前記第１接触部が前記第２接触部と接触することを特徴とするコネクタ組立体。
【請求項２】
前記第２コネクタが前記第１位置に位置する時、前記第１係合部が前記第２係合部と係合せず、且つ前記第１接触部が前記第２接触部と接触しないことを特徴とする請求項１に記載のコネクタ組立体。
【請求項３】
前記第１係合部は、前記収納溝に連通する保持溝と、前記保持溝に連通する係合溝と、を備え、前記保持溝が前記側壁の上表面から上下方向に沿って延在し、前記側壁の内表面から窪み、前記係合溝が前記側壁に形成され、
前記第２係合部は係止部を備え、前記第２コネクタが前記第１位置に位置する時、前記係止部は前記保持溝に保持され、前記第２コネクタが前記第２位置に位置する時、前記係止部は前記係合溝と係合することを特徴とする請求項１又は２に記載のコネクタ組立体。
【請求項４】
前記係合溝が前記側壁の上表面に達していないことによって、前記係止部が前記係合溝から外れることを防止することを特徴とする請求項３に記載のコネクタ組立体。
【請求項５】
前記第１本体は底壁を有し、前記側壁が前記底壁から延在し、前記収納溝が、前記底壁及び前記側壁によって包囲され、前記複数の第１端子は、前記側壁の内表面に沿って均等に配置され、前記複数の第２端子は、前記第２本体の外表面に沿って均等に配置されることを特徴とする請求項１から４のいずれか一項に記載のコネクタ組立体。
【請求項６】
第１コネクタ及び第２コネクタを備えるコネクタ組立体の製造方法であって、
前記第１コネクタを提供するステッブであって、側壁及び前記側壁によって形成される収納溝を有する第１本体を提供し、第１接触部が設けられる複数の第１端子を前記第１本体の側壁の第１表面に沿って配置し、各第１端子の第１接触部が前記側壁の第１表面から前記収納溝に向かって露出する、ステップと、
前記第２コネクタを提供するステッブであって、第２表面を含む第２本体及び複数の第２端子を提供し、前記第２端子が、前記第２本体に保持され、前記第２表面に露出されるステップと、
を備え、
前記第２コネクタを前記第１コネクタの延在方向に沿って前記第１コネクタの収納溝に挿入し、前記第２コネクタを所定の角度で回転させ、前記第１接触部を対応する第２接触部と軸方向に沿って対応して接触させることを特徴とするコネクタ組立体の製造方法。
【請求項７】
前記第１本体及び前記第２本体にそれぞれ前記第２コネクタの挿入を許可する係合部を設け、前記第２本体を第１位置から第２位置まで回転して、互いの軸方向の運動なく、前記第２位置において前記第２本体を前記第１本体と係合することを特徴とする請求項６に記載のコネクタ組立体の製造方法。
【発明の詳細な説明】
【技術分野】
【０００１】
本発明は、コネクタ組立体に関し、特に、第１コネクタ及び第２コネクタを具備するコネクタ組立体及びその製造方法に関するものである。
【背景技術】
【０００２】
従来のコネクタ組立体は、第１コネクタ及び前記第１コネクタと接続する第２コネクタを備える。電気装置は小型化及び軽型化の方向に向かって発展している。接続する第１コネクタ及び第２コネクタの間の保持力は小さい。
【発明の概要】
【発明が解決しようとする課題】
【０００３】
接続する第１コネクタ及び第２コネクタの間の保持力は小さく、第２コネクタが第１コネクタから外れ易い。
【０００４】
そこで、本発明の目的は、接続する第１コネクタ及び第２コネクタの間の保持力を確保可能な小型化されたコネクタ組立体及びその製造方法を提供することにある。
【課題を解決するための手段】
【０００５】
前記目的を達成するために、本発明のコネクタ組立体は第１コネクタ及び第２コネクタを備える。前記第１コネクタは、第１本体及び複数の第１端子を有する。前記第１本体には、側壁と、前記側壁に包囲される収納溝と、が設けられる。前記側壁には、第１係合部が設けられる。各第１端子には、前記側壁から前記収納溝に向かって露出する第１接触部が設けられる。前記第２コネクタは、第２本体及び前記第２本体の周囲に配置される複数の第２端子を有する。前記第２本体には、外表面と、前記外表面から突出する第２係合部と、が設けられる。前記第２端子には、前記第２本体の外表面に露出される第２接触部が設けられる。前記第１コネクタが第２コネクタと接続する時、前記第２コネクタは、前記収納溝に挿入され、第１コネクタに対して、第１位置から第２位置に向かって回転可能である。前記第２コネクタが前記第２位置に位置する時、第１係合部が第２係合部と係合するとともに、前記第１接触部が前記第２接触部と接触する。
【発明の効果】
【０００６】
従来の技術と比べると、本発明は以下の長所を有する。互いの軸方向の運動なく、第１係合部及び第２係合部によって、前記第１本体が第２本体と係合する。第１接触部が第２接触部と接触する。第１本体と第２本体の間の保持力は安定する。
【図面の簡単な説明】
【０００７】
【図１】本発明のコネクタ組立体の第１コネクタ及び第２コネクタの斜視図である。
【図２】図１に示すコネクタ組立体を別の角度から見た斜視図である。
【図３】図１に示す第１コネクタの斜視図である。
【図４】図３に示す第１コネクタの分解斜視図である。
【図５】図１に示す第１コネクタ及び第２コネクタが第１位置に位置する斜視図である。
【図６】図５に示すコネクタ組立体をＡ−Ａ線に沿って切断した断面図である。
【図７】図５に示す第１コネクタ及び第２コネクタが第２位置に位置する斜視図である。
【図８】図６に示すコネクタ組立体をＢ−Ｂ線に沿って切断した断面図である。
【発明を実施するための形態】
【０００８】
図１及び図２に示すように、本発明のコネクタ組立体１０００は、第１コネクタ１００及び第２コネクタ２００を備える。
【０００９】
図２及び図３に示すように、前記第１コネクタ１００は、第１本体１及び複数の第１端子２を有する。前記第１本体１には、底壁１１と、前記底壁１１から延在する環状の側壁１２と、前記底壁１１及び前記側壁１２によって形成される収納溝１３と、が設けられる。前記側壁１２には第１係合部１２２が設けられる。前記側壁１２の内表面１２０には、複数の第１端子溝１２１が、均等に配置される。
【００１０】
前記第１係合部１２２は、前記収納溝１３に連通する保持溝１２３と、前記保持溝１２３に連通する係合溝１２４と、を備える。前記保持溝１２３が、前記側壁１２の上表面から上下方向に沿って延在し、前記側壁１２の内表面１２０から窪む。前記係合溝１２４は、前記側壁１２内に形成され、前記側壁１２の上表面に達していない。
【００１１】
各第１端子２は、保持部２１と、前記保持部２１の上端から折れ曲がっている接触ビーム２２と、前記保持部２１の下端から外へ折れ曲がっている連接部２３と、を有する。前記接触ビーム２２の自由端には、凹所２２２が形成される第１接触部２２１が設けられる。
【００１２】
前記複数の第１端子２は、前記第１端子溝１２１に挿入される。前記保持部２１は、前記側壁１２と係合する。前記第１接触部２２１は、前記側壁１２から前記収納溝１３に向かって突出する。前記複数の第１端子２の第１接触部２２１は、前記側壁１２の内表面１２０に沿って配置され、前記収納溝１３の周囲に配置される。前記連接部２３は、前記第１本体１から延出する。
【００１３】
図２及び図４に示すように、前記第２コネクタ２００は、第２本体３及び前記第２本体３の外表面３１の周囲に均等に配置される複数の第２端子４を有する。前記第２本体３には、外表面３１に沿って均等に配置される複数の第２端子溝３２が形成される。各第２端子溝３２は、前記外表面３１から窪む。前記第２本体３には、前記外表面３１から突出する第２係合部３３が設けられる。前記第２係合部３３は、前記外表面から突出する基部３３１及び前記基部３３１から横方向に向かって突出する係止部３３２を備える。
【００１４】
前記第２端子４は、細長い第２接触部４１と、前記第２接触部４１に設けられる複数のクリック部４１１と、前記第２接触部４１の底端から折れ曲がっている半田接続部４２と、を備える。
【００１５】
前記複数の第２端子４は、前記第２端子溝３２に挿入される。第２接触部４１は、前記第２本体３の外表面３１から露出される。クリック部４１１は、前記第２端子溝３２に係合する。
【００１６】
第１コネクタ１００が第２コネクタ２００と接続する時、前記第２コネクタ２００が、前記収納溝１３に挿入され、図５〜図６に示すように、第１位置ａに位置する。第２係合部３３は、前記保持溝１２３に保持され、前記第１係合部１２２と係合しない。前記第１接触部２２１が前記第２接触部４１と接触しない。第２コネクタ２００は、第１コネクタ１００に対して、第１位置ａから第２位置ｂに向かって回転可能である。図７及び図８に示すように、前記第２コネクタ２００が前記第２位置ｂに位置する時、前記係止部３３２が、前記係合溝１２４と係合する。前記第１端子２の第１接触部２２１が前記第２端子４の第２接触部４１と接触する。前記係合溝１２４は、前記側壁１２が上表面に達していないことによって、前記係止部３３２が前記係合溝１２４から外れることを防止する。
【００１７】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００１８】
１０００  コネクタ組立体
１００  第１コネクタ
１  第１本体
１１  底壁
１２  側壁
１２０  内表面
１２１  第１端子溝
１２２  第１係合部
１２３  保持溝
１２４  係合溝
１３  収納溝
２  第１端子
２１  保持部
２２  接触ビーム
２２１  第１接触部
２２２  凹所
２３  連接部
２００  第２コネクタ
３  第２本体
３１  外表面
３２  第２端子溝
３３  第２係合部
３３１  基部
３３２  係止部
４  第２端子
４１  第２接触部
４１１  クリック部
４２  半田接続部
【図１】
2016127012.tif 000003
【図２】
2016127012.tif 000004
【図３】
2016127012.tif 000005
【図４】
2016127012.tif 000006
【図５】
2016127012.tif 000007
【図６】
2016127012.tif 000008
【図７】
2016127012.tif 000009
【図８】
2016127012.tif 000010